(57)【特許請求の範囲】
【請求項１】
電子機器を収容するシェルフに取り付けられ、前記シェルフ内を強制通風して前記電子機器を冷却する空冷ファンユニットにおいて、
回転翼を駆動するモータをファンケーシングに固定して通風作用を起こさせるファンと、
前記ファンを支持するケーシングと、
前記ファンの通風経路の前後で前記回転翼に対面するようにそれぞれ配置された格子状のフィンガーガードと、
前記ケーシングの内部に立設された軸状の本体を備え、前記本体の先端部に設けたスリット部分に、前記本体の幅よりも小さな幅と前記本体の幅よりも大きな長さを有する回転ピンを、その回転ピンの長手方向と直角な軸回りに回動可能に支持する複数のスタッドピンと、
前記回転ピンを含む前記スタッドピンの先端部を挿通させるための貫通孔と、前記貫通孔を横断するように形成され、前記貫通孔に挿通されて回動した前記回転ピンをその長手方向に沿って係止する係止溝とを有し、前記スタッドピンの軸方向に押圧されて弾性変形しつつその軸周りに回転し、前記係止溝に前記回転ピンを係止することで、それぞれが有する挿通部に前記スタッドピンが挿通された前記ファンと前記フィンガーガードとを、前記ケーシングとの間に弾性的に挟持するロックブッシュと、
を備えたことを特徴とする空冷ファンユニット。
【請求項２】
前記ロックブッシュの貫通孔が前記回転ピンの長さよりも大きな幅を有する一方、前記係止溝の先端縁から前記貫通孔にかけて螺旋状に傾斜する斜面を有し、
前記ロックブッシュを前記スタッドピンから取り外す際には、前記ロックブッシュを前記スタッドピンの軸方向に押圧しつつ回転させて前記回転ピンを前記斜面に載せることにより、前記回転ピンが前記斜面に沿って摺動して前記貫通孔に逃げるように構成されたことを特徴とする請求項１記載の空冷ファンユニット。
【請求項３】
当該空冷ファンユニットを前記シェルフに挿入する際に把持する把手と、前記シェルフのファンユニット挿入口に係止されることにより、当該空冷ファンユニットを前記シェルフに固定させる係止部とを一体化して構成されるとともに、前記ケーシングの前記シェルフへの取付方向後端側に脱着可能に設けられたフロントパネルを備えたことを特徴とする請求項１記載の空冷ファンユニット。
【請求項４】
電子機器を収容するシェルフに取り付けられ、前記シェルフ内を強制通風して前記電子機器を冷却する空冷ファンユニットにおいて、
回転翼を駆動するモータをファンケーシングに固定して通風作用を起こさせるファンと、
前記ファンを側方から挟み込むように収容して支持する一対のケーシングと、
前記ファンの通風経路の前後で前記回転翼に対面するようにそれぞれ配置された格子状のフィンガーガードと、
軸状の本体の側面に、前記フィンガーガードの架橋部と前記ケーシングに設けた貫通孔とにそれぞれに嵌合する複数の嵌合溝が周設された複数のブッシュと、
を備え、
前記フィンガーガードの架橋部と前記ケーシングの貫通孔とを一致させた状態で前記各ブッシュを嵌合させることにより、前記ケーシングと前記フィンガーガードとを固定するように構成されたことを特徴とする空冷ファンユニット。
【請求項５】
前記ファンの周縁部には複数の固定用の孔が形成され、前記ブッシュの先端を前記固定用孔に係止させることにより、前記ファンを前記ケーシングに対して固定したことを特徴とする請求項４記載の空冷ファンユニット。
【請求項６】
当該空冷ファンユニットを前記シェルフに挿入する際に把持する把手と、前記シェルフのファンユニット挿入口に係止されることにより、当該空冷ファンユニットを前記シェルフに固定させる係止部とを一体化して構成されるとともに、前記ケーシングの前記シェルフへの取付方向後端側に脱着可能に設けられたフロントパネルを備えたことを特徴とする請求項４記載の空冷ファンユニット。
【発明の詳細な説明】
【技術分野】
【０００１】
本発明は、電子機器の冷却用に取り付けられる空冷ファンユニットの構造に関し、特に、電子部品が収容されたシェルフ内を強制通風させる空冷ファンを、当該シェルフに対して固定させるための空冷ファンユニットに関する。
【背景技術】
【０００２】
近年、通信機器をはじめとする電子機器の高密度実装，ＬＳＩ等の高集積化，高出力化によって消費電力が増大しており、その対策の一つとして空冷ファンをユニット化して電子機器へ実装することが行われている。図３７は、このような空冷ファンユニットの構造の一例を表す分解斜視図である。
【０００３】
同図に示すように、この空冷ファンユニット１０１は、空冷用の複数のファン１０２を複数の部材で取り囲んでユニット化されている。具体的には、ファン１０２の翼径とほぼ同径の複数の開口穴を有する長方形板状のベース部材１０３にファン１０２を同軸状に載置した後、その前後にそれぞれフロントパネル１０４，リアパネル１０５を装着し、さらに、各ファン１０２の上に指差込み防止用の格子状のフィンガーガード１０６を載置する。そして、各フィンガーガード１０６の周縁部に上方から複数のネジ１０８を差込み、各ファン１０２の角部に設けられた挿通孔を挿通させた上でベース部材１０３のネジ孔に螺合させる。その結果、フィンガーガード１０６とベース部材１０３との間にファン２が介装された状態で固定される。さらに、ベース部材１０３の下面側にも開口穴を覆うように、フィンガーガード１０７がネジ１０９を介して螺合固定されている。
【０００４】
尚、本発明は公知・公用の技術に基づいて発明されたものであるため、先行技術文献については開示しない。
【発明の開示】
【発明が解決しようとする課題】
【０００５】
ところで、電子機器には小型化及び省スペース化の要請があるが、近年の高消費電力化に伴って高い冷却性能が要求される。このため、電子機器を構成する上で上記空冷ファンユニットを含む冷却ユニットの占める割合が１〜２割程度にもなり、他のユニットの実装可能スペースが減少するといった問題が発生し、電子機器の高密度実装・軽量化開発においてネックとなっている。
【０００６】
こうした中、高密度実装化等により空冷ファンの搭載領域も縮小されることになるため、空冷ファンの故障時の交換等におけるメンテナンス性が犠牲となるケースが多々あるが、特に高発熱装置の場合には、空冷ファン故障による温度上昇を防止するために短時間で空冷ファンの交換を完了できる構造が求められている。
【０００７】
さらに、電子機器の小型化に伴う高密度実装を実現する上で、空冷ファンユニットに対しても小型化が求められている。しかし、従来のネジによる固定構造ではスペース的条件で空冷ファンユニットの固定位置が限定されるなどして、電子機器内の実装条件によっては構造を変える必要が生じる。このため、その都度設計変更を余儀なくされ、結果的に複数種類の空冷ファンユニットを製造する必要があり、製造コストが嵩むといった問題がある。
【０００８】
本発明はこのような点に鑑みてなされたものであり、取り扱いが容易であり、メンテナンス性の向上や構造の標準化推進が可能な空冷ファンユニットを提供することを目的とする。
【課題を解決するための手段】
【０００９】
本発明では上記問題を解決するために、電子機器を収容するシェルフに取り付けられ、前記シェルフ内を強制通風して前記電子機器を冷却する空冷ファンユニットにおいて、回転翼を駆動するモータをファンケーシングに固定して通風作用を起こさせるファンと、前記ファンを支持するケーシングと、前記ファンの通風経路の前後で前記回転翼に対面するようにそれぞれ配置された格子状のフィンガーガードと、前記ケーシングの内部に立設された軸状の本体を備え、前記本体の先端部に設けたスリット部分に、前記本体の幅よりも小さな幅と前記本体の幅よりも大きな長さを有する回転ピンを、その回転ピンの長手方向と直角な軸回りに回動可能に支持する複数のスタッドピンと、前記回転ピンを含む前記スタッドピンの先端部を挿通させるための貫通孔と、前記貫通孔を横断するように形成され、前記貫通孔に挿通されて回動した前記回転ピンをその長手方向に沿って係止する係止溝とを有し、前記スタッドピンの軸方向に押圧されて弾性変形しつつその軸周りに回転し、前記係止溝に前記回転ピンを係止することで、それぞれが有する挿通部に前記スタッドピンが挿通された前記ファンと前記フィンガーガードとを、前記ケーシングとの間に弾性的に挟持するロックブッシュと、を備えたことを特徴とする空冷ファンユニットが提供される。
【００１０】
尚、ここでいう「フィンガーガード」は、例えば図２０に示すフィンガーガード４０４のように実際にフィンガーガードとしての形状を有する場合と、図１に示すようにカバー４に設けられた通風孔４１の部分等がフィンガーガードの機能を有する場合との双方を含む概念である（以下同様）。
【００１１】
このような空冷ファンユニットによれば、スタッドピンに対してロックブッシュを回転させつつ押し込んで回転ピンを係止させることにより、ケーシング，ファン，フィンガーガードを固定することができる。また、その逆の動作によりこれらを分離することもできる。このため、ネジによる組付けの場合のような工具が不要であり、その取付・取外作業を簡易かつ迅速に行うことができる。また、ロックブッシュの弾性による反力によりこれらケーシング，ファン，フィンガーガードを安定して固定することができる。
【００１２】
また、本発明では、電子機器を収容するシェルフに取り付けられ、前記シェルフ内を強制通風して前記電子機器を冷却する空冷ファンユニットにおいて、回転翼を駆動するモータをファンケーシングに固定して通風作用を起こさせるファンと、前記ファンを側方から挟み込むように収容して支持する一対のケーシングと、前記ファンの通風経路の前後で前記回転翼に対面するようにそれぞれ配置された格子状のフィンガーガードと、軸状の本体の側面に、前記フィンガーガードの架橋部と前記ケーシングに設けた貫通孔とにそれぞれに嵌合する複数の嵌合溝が周設された複数のブッシュと、を備え、前記フィンガーガードの架橋部と前記ケーシングの貫通孔とを一致させた状態で前記各ブッシュを嵌合させることにより、前記ケーシングと前記フィンガーガードとを固定するように構成されたことを特徴とする空冷ファンユニットが提供される。
【００１３】
このような空冷ファンユニットによれば、ブッシュを用いてファン，ケーシング及びフィンガーガードの脱着を簡易に行うことができ、ネジ等による接合の場合よりも迅速に行うことができる。
【発明の効果】
【００１４】
本発明の空冷ファンユニットは、スタッドピンとロックブッシュとの協働によってケーシング，ファン，フィンガーガードを簡易かつ迅速に取り付け、又は取り外すことができる。このため、空冷ファンユニットのメンテナンス性が向上する。
【００１５】
また、本発明の空冷ファンユニットは、ブッシュを用いてファン，ケーシング及びフィンガーガードの脱着を簡易に行うことができ、ネジ等による接合の場合よりも迅速に行うことができる。
【発明を実施するための最良の形態】
【００１６】
以下、本発明の関連技術を図面に基づいて詳細に説明する。
［第１の関連技術］
第１の関連技術にかかる空冷ファンユニットは、電子機器を収容するシェルフに取り付けられ、シェルフ内を強制通風して電子機器を冷却するためのものであり、図１は当該空冷ファンユニットの概略構成を表す分解斜視図である。
【００１７】
同図に示すように、空冷ファンユニット１は、通風用の２つのファン２と、ファン２を収容して支持するケーシング３と、ケーシング３の開口部３ａを閉塞するカバー４とから構成されている。
【００１８】
ファン２は、筒状のファンケーシング２１の両端中央に回転翼を駆動するモータ２２が複数の梁によって固定されて構成されている。ファンケーシング２１は、その両端の周縁部から四方に延出したフランジ部２３を有し、全体として直方体形状の概形を有する。各フランジ部２３の先端部には、それぞれ固定用の孔２４が設けられている。モータ２２からは電源ケーブルが延出しており、外部電源に接続されるコネクタ２５につながっている。
【００１９】
図２に示すように、各ファン２の対角位置には防振用のゴムブッシュ５０が装着される。このゴムブッシュ５０は、三角柱状をなし、その隣接する２側面にはファンケーシング２１の角部と嵌合可能な一対の嵌合凹部５１が形成されている。両ファン２の接続箇所では、１つのゴムブッシュ５０が両ファン２に嵌合する。また、ゴムブッシュ５０のカバー４と対向する面の３箇所には、円錐状の凸部５１ａが突設されている。
【００２０】
図１に戻り、ケーシング３は、箱状の本体を有し、その底面の各ファン２が載置される位置には、その回転翼に対面するように格子状の通風孔３１が形成されている。この通風孔３１は、通風用の孔として機能するとともに、指詰め防止のためのフィンガーガードとしても機能する。また、ケーシング３の底面には、上述のようにファン２に取り付けられた各ゴムブッシュ５０を固定するための複数のリブ３２が立設されており、収容されたファン２を安定して固定できるようになっている。
【００２１】
また、ケーシング３のシェルフへの取付方向先端側には、コネクタ２５を固定するためのコネクタ収容部３３が設けられ、図４（ａ）に図１のＡ部断面を示すように、ケーシング３の内壁には、コネクタ２５につながる電源ケーブルを引っ掛けてガイドするためのガイド片３４が突設されている。
【００２２】
また、ケーシング３のシェルフへの取付方向に沿って延びる上部縁部には、水平方向外側に所定量延出したガイド部３６が設けられ、後述するシェルフのガイドレールにガイドされる。さらに、そのケーシング３の各上部縁部の両端部近傍には、カバー４をケーシング３に固定するために後述するカバー４のダボ４３を係止するＪ字状のスリット３７が設けられている。
【００２３】
さらに、ケーシング３のシェルフへの取付方向後端側には、空冷ファンユニット１をシェルフへ取り付ける際に作業員が把持する把手６０が取り付けられている。図３（ａ）は把手６０を表す斜視図であり、同図（ｂ）は把手６０の周辺部を示す平面図である。
【００２４】
同図（ａ）に示すように、把手６０は、板状部材を数箇所で屈曲して形成したＵ字状の本体を有し、その本体の両端部６１にケーシング３への取付用の嵌合爪６２が設けられている。この嵌合爪６２は、その端部６１の各２箇所に縦方向に平行に設けられたスリット６１ａによって分離された部分により構成され、ケーシング３の内方に向かって突出した嵌合突起６３が設けられている。
【００２５】
一方、同図（ｂ）に示すように、ケーシング３のシェルフへの取付方向後端側には、把手６０の端部６１を挿入して固定する一対の嵌合凹部３５が設けられている。この嵌合凹部３５の壁面には嵌合穴３５ａが設けられており、把手６０の嵌合突起６３をこれに嵌合させることにより、把手６０をケーシング３に対して脱落することなく固定する。尚、把手６０をケーシング３から取り外す際には、嵌合穴３５ａに嵌合した嵌合突起６３をケーシング３の内側から外側に押し出すことによりその嵌合状態を解除した後、把手６０を上方に引き抜くことによりこれを取り外す。
【００２６】
また、ケーシング３のシェルフへの取付方向後端側には、把手６０に包囲されるように係止部７０が設けられ、シェルフとの間の取付機構を構成する。これについては後に詳述する。
【００２７】
図１に戻り、カバー４は、板状の本体を有し、ファン２の回転翼に対面するように格子状の通風孔４１が形成されている。この通風孔４１は、通風用の孔として機能するとともに、フィンガーガードとしても機能する。また、カバー４の本体のシェルフへの取付方向に沿った両縁部が下方に所定量折り曲げられて側壁４２を形成し、その側壁の両端部近傍には、カバー４をケーシング３に固定するための外方に突出した円柱状のダボ４３がそれぞれ設けられている。ダボ４３の直径は、スリット３７の幅よりもやや小さくなっている。
【００２８】
次に、空冷ファンユニット１の組付方法について説明する。
まず、図１に示すように、ゴムブッシュ５０を装着した状態のファン２，２をケーシング３のリブ３２に沿って取り付ける。
【００２９】
続いて、カバー４をケーシング３の開口部３ａを覆うように載置する。そして、カバー４のダボ４３とケーシング３のスリット３７の開口部３７ａとの位置を合わせた状態で、ゴムブッシュ５０の反力に抗してカバー４を上方から押し付ける。図４（ｂ）に図１のＢ部におけるダボ４３とスリット３７との嵌合動作を示すように、ダボ４３をスリット３７内で図中実線矢印の方向に押し込んでスライドさせ、スリット３７の先端部に嵌合させるように、カバー４を移動させる。
【００３０】
このとき、カバー４のケーシング３に対する横ズレに対し、ゴムブッシュ５０に突設された凸部５１ａが追従する。すなわち、本関連技術では、ゴムブッシュ５０の平面を直接カバー４に当接させるのではなく、上述のように凸部５１ａの位置で散点的に当接させてカバー４との当接面を小さくすることにより、ゴムブッシュ５０とカバー４との間の摩擦力を小さくしている。その結果、ダボ４３をスリット３７に嵌合させる際に、カバー４をケーシング３に対してスムーズにずらすことができる。カバー４とケーシング３とは、ゴムブッシュ５０の反力によりガタつくことなく、安定して固定される。
【００３１】
尚、カバー４をケーシング３から取り外す際には、カバー４を上方から押圧してダボ４３を下方に押し込んだ状態で、上記とは逆の図中点線矢印の方向にスライドさせる。そして、ダボ４３がスリット３７の開口部３７ａにつながる直線部にくると、カバー４は、ゴムブッシュ５０の弾性力によって自然にケーシング３から外れる。
【００３２】
尚、ダボ４３とスリット３７の構造については、上記構造以外にも例えば図４（ｃ）に示した鍵状構造も考えられる。
すなわち、同図に示すように、ダボ４３’を鍵状に形成する一方、スリット３７’の形状もこれに合わせて鍵状とする。スリット３７’の直線部の幅ｗはダボ４３’の幅よりも大きく、また、スリット３７’の鍵部の高さｈはダボ４３’の鍵部の高さよりも大きく形成される。
【００３３】
このような構成では、カバー４をケーシング３に対して固定する際には、カバー４を上方から押圧してダボ４３’をスリット３７’に押し込んでスライドさせ、鍵部で嵌合させる。また、カバー４をケーシング３から取り外す際には、カバー４を上方から押圧してダボ４３’を押し込んだ状態でスリット３７’の直線部までスライドさせる。このとき、カバー４は、ゴムブッシュ５０の弾性力によって自然にケーシング３から外れる。
【００３４】
次に、空冷ファンユニット１とシェルフとの取付機構について説明する。図５は、本関連技術の空冷ファンユニット１とシェルフ８０との取付構造を表す斜視図であり、図６は、空冷ファンユニット１を除いた状態でシェルフ８０を斜め上方からみた斜視図である。
【００３５】
図５に示すように、複数の空冷ファンユニット１は、シェルフ８０のファンユニット挿入口８１から挿入される。そして、空冷ファンユニット１が所定位置まで挿入されると、ケーシング３のシェルフ８０への取付方向後端側に設けられた係止部７０が、シェルフ８０のファンユニット挿入口８１の上下に互いに平行に設けられた上梁８２と下梁８３の間に係止される。
【００３６】
図６に示すように、下梁８３は、ステンレス製の板材を成形したものであり、空冷ファンユニット１の並列方向に延びるように設けられ、空冷ファンユニット１の幅に対応した所定の間隔でガイドレール設置部８４が直角に延出し、シェルフ８０の奥行方向に延びている。そして、ガイドレール設置部８４に沿ってガイドレール９０が配設されている。
【００３７】
図７（ａ）に図６のＣ方向矢視に対応する図を示すように、ガイドレール９０は、樹脂材を射出成形して形成され、凸状の断面を有する長尺状の本体を有する。その本体の下面の所定の複数箇所には係止突起９１が設けられており、この係止突起９１がガイドレール設置部８４に設けられた係止孔８４ａに嵌合することにより、ガイドレール９０がガイドレール設置部８４に固定される。下梁８３の隣接するガイドレール９０の中間位置には、空冷ファンユニット１の係止部７０を係止する係止孔８５が設けられている。
【００３８】
一方、空冷ファンユニット１におけるケーシング３のシェルフ８０への取付方向後端側には、上述のように係止部７０が設けられている。図７（ｂ）に図３（ｂ）のＤ−Ｄ断面に相当する図を示す。
【００３９】
同図に示すように、係止部７０は、ケーシング３に弾性的に揺動可能に設けられた板状体からなり、その板状体の一部に揺動方向の外力を加えるための鍔部７１と、シェルフ８０のファンユニット挿入口８１の上梁８２及び下梁８３の対向面と当接する位置にそれぞれ設けられた係止爪７２，７３（嵌合手段）とを有する。すなわち、係止部７０は、図１及び図３（ｂ）に示すように、ケーシング３の後側面から底面の所定位置にかけて一対のスリット７１ａを入れることによりケーシングの本体から部分的に分離されて形成されている。この係止部７０は、図７（ｂ）に示すように、その上端部がケーシング３の上端縁と同一平面上を後方に延出して鍔部７１を構成し、下端部がケーシング３の底面の一部を構成している。そして、スリット７１ａが途切れた残余の部分である下端部の先端をヒンジとしてケーシング３に対して弾性変形し、揺動できるようになっている。係止爪７２は鍔部７１の上面に突設されており、係止爪７３は下端部の下面に突設されている。また、係止部７０の幅方向の両側には、ケーシング３の内方に延出する一対のリブ７４が設けられており、係止部７０を補強している。
【００４０】
空冷ファンユニット１をシェルフ８０に装着する際には、空冷ファンユニット１をその左右のガイドレール９０に沿ってシェルフ８０内に挿入していく。すると、空冷ファンユニット１が所定の設置位置にきたところで下側の係止爪７３が下梁８３の係止孔８５に嵌合して係止され固定される。
【００４１】
一方、空冷ファンユニット１をシェルフ８０から取り外す際には、例えば同図に示すように、把手６０に親指以外の指を通し、まず親指で鍔部７１の上端部を上側に押して鍔部７１をケーシング３に対して弾性変形させて揺動させる。このとき、下側の係止爪７３がこれに連動してした下梁８３の係止孔８５から脱離する。そして、把手６０を手前側（シェルフ８０への挿入方向とは逆側）に引っ張ることにより、空冷ファンユニット１を取り外すことができる。
【００４２】
尚、以上においては、空冷ファンユニット１をシェルフ８０の開口部に乗せるような実装形態（下ロックタイプ）の取付構造について説明したが、空冷ファンユニット１をシェルフの開口部にぶら下げるような実装形態（上ロックタイプ）の取付構造についても本関連技術を適用することができる。図８は、上ロックタイプのシェルフ１８０の正面図であり、図９は、空冷ファンユニット１を除いた状態でシェルフ１８０を斜め下方からみた斜視図である。
【００４３】
図８に示すように、シェルフ１８０は、上述したシェルフ８０とは異なり、そのガイドレール９０がファンユニット挿入口１８１の上側に設置されている。従って、図９に示すように、空冷ファンユニット１を装着する部分のシェルフ側の構成が、上述した図６の構成とは上下逆となっている。
【００４４】
すなわち、上梁１８２側にガイドレール設置部１８４が設けられ、ガイドレール９０が配設されている。上述したケーシング３のガイド部３６は、このガイドレール９０に支持される。また、上梁１８２の隣接するガイドレール９０の中間位置には、空冷ファンユニット１の係止部７０を係止する係止孔１８５が設けられている。図１０（ａ）は図９のＥ−Ｅ矢視断面図であり、図１０（ｂ）は同図（ａ）のＦ方向矢視図である。
【００４５】
これらの図に示すように、空冷ファンユニット１とシェルフ１８０との取付部の構成は、その取付構造が上下逆となっている以外は上記図６の構成と基本的に同様であるため、その説明については省略する。
【００４６】
図１１（ａ）に空冷ファンユニット１のシェルフ１８０への取付方法を示す。
同図に示すように、空冷ファンユニット１をシェルフ１８０に装着する際には、空冷ファンユニット１をその左右のガイドレール９０に沿ってシェルフ１８０内に挿入していく。すると、空冷ファンユニット１が所定の設置位置にきたところで上側の係止爪７２が上梁１８２の係止孔１８５に嵌合して係止され固定される。
【００４７】
一方、空冷ファンユニット１をシェルフ１８０から取り外す際には、例えば同図に示すように、把手６０に親指以外の指を通し、まず親指で鍔部７１の上端部を下側に押して鍔部７１をケーシング３に対して弾性変形させて揺動させる。このとき、上側の係止爪７２がこれに連動して上梁１８２の係止孔１８５から脱離する。そして、把手６０を手前側（シェルフ１８０への挿入方向とは逆側）に引っ張ることにより、空冷ファンユニット１を取り外すことができる。
【００４８】
尚、以上においては、シェルフ８０，１８０の上梁，下梁の形状として断面Ｌ字状のものを示したが、図１１（ｂ）に示すような断面Ｕ字状その他の形状であっても、係止部７０の係止爪と嵌合可能な係止孔が形成されているものであれば、本関連技術を適用することができる。
【００４９】
以上に説明したように、本関連技術の空冷ファンユニット１によれば、シェルフ８０のファンユニット挿入口８１に挿入された際にそのファンユニット挿入口８１の対向面と当接する位置に対応して、嵌合手段７２，７３がそれぞれ配置される。このため、シェルフ側でそのファンユニット挿入口８１の対向面のいずれ側に係止部が存在していたとしても、当該空冷ファンユニット１を係止させることができる。つまり、シェルフ側の仕様によらず、空冷ファンユニット１を取り付けることができる。
【００５０】
換言すれば、シェルフのファンユニット挿入口の対向面と当接する係止部の双方の側にそれぞれ嵌合手段が設けられ、シェルフ側の仕様によらず当該空冷ファンユニットを取り付けることができるため、標準化推進が可能となる。
【００５１】
また、シェルフ８０から当該空冷ファンユニット１を取り外す際には、係止部７０の鍔部７１に外力を加えて揺動させるだけで、嵌合手段７２，７３のいずれもがシェルフ８０からの脱離方向に動作する。このため、当該空冷ファンユニット１がシェルフ８０のファンユニット挿入口８１の対向面のいずれ側で係止されているかによらず、鍔部７１を押圧するという簡単なワンタッチ操作でこれを容易に取り外すことができ、そのメンテナンス性を向上させることができる。
【００５２】
換言すれば、係止部の鍔部を押圧するという簡単な操作によって各嵌合手段が連動して脱離方向に動作し、空冷ファンユニットをワンタッチでシェルフから取り外すことができ、取り扱いが容易となり、メンテナンス性も向上する。
【００５３】
また、係止部７０の嵌合手段７２，７３は、シェルフ８０側の係止部に嵌合可能な形状であればよく、凸状であるか凹状であるかなどは限定されない。また、これら嵌合手段７２，７３のいずれもがシェルフに係止されてもよいし、いずれかが係止されてもよい。
【００５４】
尚、近年、電子機器が小型化され、機械室等特殊な場所からユーザー近傍の事務所へと設置環境が変わってきているため、従来の金属から成るケーシングへのファンの直固定では、ファン回転の振動によりビビリ音及び共鳴音が発生し、かつ大型で高能力ファンの採用により非常に騒音が大きくなってきている。この点に関し、本関連技術では、ゴムブッシュ５０による防振構造によりその騒音を防止又は抑制することができる。
【００５５】
以上、本関連技術について説明したが、例えば以下に示す変形例を適用することも可能である。
図１２は、本関連技術の第１の変形例にかかる空冷ファンユニットの構造を表す分解斜視図であり、図１３はその特徴部分であるファン近傍の構造を表す斜視図である。尚、本変形例は、ファンを支持するゴムブッシュの構造及びその支持構造が異なる以外は、上述した関連技術と同様であるため、異なる構成部分についてのみ説明をする。
【００５６】
図１３に示すように、本変形例の空冷ファンユニットにおける防振用のゴムブッシュ１５０は、三角柱状をなし、１側面にはファンケーシング２１の角部と嵌合可能な嵌合凹部１５１が形成されている。本変形例では、各ファン２の対角に位置する２箇所にそれぞれゴムブッシュ１５０が配置されている。また、ゴムブッシュ１５０の上面の３箇所には、円錐状の凸部１５１ａが突設されている。
【００５７】
図１２に示すように、ケーシング３の底面には、ファン２に取り付けられた各ゴムブッシュ１５０を固定するための複数のリブ１３２が立設されており、収容されたファン２を安定に固定できるようになっている。
【００５８】
本変形例では、両ファン２のそれぞれがゴムブッシュ１５０に個別に支持され、ケーシング３内に配置される。
図１４は、本関連技術の第２の変形例にかかる空冷ファンユニットの構造を表す分解斜視図であり、図１５はその特徴部分であるファン近傍の構造を表す斜視図である。尚、本変形例は、ファンを支持するゴムブッシュの構造及びその支持構造が異なる以外は、上述した関連技術と同様であるため、異なる構成部分についてのみ説明をする。
【００５９】
図１５に示すように、本変形例の空冷ファンユニットにおける防振用のゴムブッシュ２５０は、四角柱状をなし、その４側面にファンケーシング２１の角部と嵌合可能な嵌合凹部２５１が形成されている。また、ゴムブッシュ２５０の上面の４箇所には、円錐状の凸部２５１ａが突設されている。本変形例では、両ファン２をその対角を付き合わせる方向に並列し、その対角線上に３つのゴムブッシュ２５０が配置されている。つまり、中央のゴムブッシュ２５０によって両ファン２の対角が直接接触するのが防止され、さらに、両端に位置する対角のそれぞれにゴムブッシュ２５０が配置されている。
【００６０】
図１４に示すように、ケーシング３の底面には、ファン２に取り付けられた各ゴムブッシュ２５０を固定するための複数のリブ２３２が立設されており、収容されたファン２を安定に固定できるようになっている。
【００６１】
本変形例は、ケーシング３内でのスペースのとり方の便宜上、両ファン２の配置態様を異ならせる必要がある場合などに有効である。
［第２の関連技術］
次に、本発明の第２の関連技術について説明する。尚、本関連技術は、ケーシングのシェルフへの取付方向後端側の構成が異なる以外は、上記第１の関連技術の構成と同様であるため、同様の構成部分については必要に応じて同一の符号を付して示す等してその説明を省略する。図１６は、本関連技術にかかる空冷ファンユニットの特徴部分の概略構成を表す斜視図であり、図１７はその特徴部分を有する把手の斜視図である。また、図１８は、当該空冷ファンユニットの取付方法を示す説明図であり、図１６のＧ−Ｇ矢視断面図に相当する。
【００６２】
図１６に示すように、本関連技術の空冷ファンユニット２０１の後端縁はテーパ状に形成されており、係止部２７０もそれに倣った形状を有する。
すなわち、図１６及び図１８に示すように、係止部２７０は、ケーシング２０３の後側面から底面の所定位置にかけて一対のスリット２７１ａを入れることによりケーシング２０３の本体から部分的に分離されて形成されている。この係止部２７０は、その上端部がケーシング２０３の上端縁と同一平面上をその内方に延出してフランジ部２７１を構成し、下端部がケーシング２０３の底面の一部を構成している。また、係止部２７０のフランジ部２７１と底面との中間位置からは鍔部２７２が外方（後方）に向かって延出している。この係止部２７０は、鍔部２７２に外力を加えることで、スリット２７１ａが途切れた下端先端部をヒンジとしてケーシング２０３に対して弾性変形し、揺動できるようになっている。フランジ部２７１の上面には係止爪２７３が突設されており、下端部の下面には係止爪２７４が突設されている。
【００６３】
また、ケーシング２０３に嵌合装着されるカバー２０４のフランジ部２７１に対応する位置には、そのフランジ部２７１を挿通して露出させるためのスリット２０４ａが設けられている。
【００６４】
一方、把手２６０は、図３に示した関連技術の把手６０の構成において、その上部開口部を閉じたような構成を有する。すなわち、図１７に示すように、把手２６０は、板状部材を数箇所で屈曲して形成したＵ字状の本体２６１と、この本体２６１においてケーシング２０３との間に形成される上側開口部の片側端縁を閉塞するカバー部材２６２とにより構成されている。このため、把手２６０には上方からの指の挿入が禁止される。この把手２６０は、図１６に示すように、ケーシング２０３のシェルフへの取付方向後端側に、鍔部２７２を跨ぐように取り付けられている。
【００６５】
そして、図１８（ａ）に示すように、空冷ファンユニット２０１をシェルフに装着する際には、空冷ファンユニット２０１をその左右のガイドレール９０に沿ってシェルフ内に挿入していく。すると、空冷ファンユニット１が所定の設置位置にきたところで下側の係止爪２７４が下梁２８３の係止孔２８５に嵌合して係止され固定される。
【００６６】
一方、空冷ファンユニット２０１をシェルフから取り外す際には、例えば同図に示すように把手２６０に指を通す。このとき、把手２６０はその上部がカバー部材２６２によって塞がれているため、親指は鍔部２７２に触れることなくカバー部材２６２上に置かれる。一方、親指を除く指が取っての下方から挿入されて鍔部２７２の下面に当たる。このため、作業員が把手２６０を握ると自然に鍔部２７２に上側への押圧力が加わり、鍔部２７２をケーシング２０３に対して弾性変形させて揺動させる。このとき、下側の係止爪２７４がこれに連動して下梁２８３の係止孔２８５から脱離する。そして、把手２６０を手前側（シェルフへの挿入方向とは逆側）に引っ張ることにより、空冷ファンユニット２０１を取り外すことができる。
【００６７】
尚、以上においては、空冷ファンユニット２０１をシェルフの開口部に乗せる下ロックタイプの取付構造について説明したが、同図（ｂ）に示すような空冷ファンユニット２０１をシェルフの開口部にぶら下げる上ロックタイプの取付構造についても本関連技術をそのまま適用することができる。
【００６８】
この場合、空冷ファンユニット２０１をシェルフに装着する際には、空冷ファンユニット２０１をその左右のガイドレール９０に沿ってシェルフ内に挿入していく。すると、空冷ファンユニット２０１が所定の設置位置にきたところで上側の係止爪２７３が上梁２８２の係止孔２８５に嵌合して係止され固定される。
【００６９】
一方、空冷ファンユニット１をシェルフから取り外す際には、上記と同様に把手２６０を握って手前側（シェルフへの挿入方向とは逆側）に引っ張る。このとき、上記と同様に自然に鍔部２７２に上側への押圧力が加わり、鍔部２７２をケーシング２０３に対して弾性変形させて揺動させる。このとき、上側の係止爪２７３がこれに連動して上梁２８２の係止孔２８５から脱離し、空冷ファンユニット２０１を取り外すことができる。
【００７０】
以上に説明したように、本関連技術では、把手２６０に、鍔部２７２をシェルフからの脱離方向とは反対側へ付勢する指の挿入を禁止する誤操作防止構造が設けられている。このため、空冷ファンユニット２０１の取り外し作業中に、係止部２７０を誤って逆方向に揺動させ、空冷ファンユニット２０１を取り外せなくなるといった事態を回避することができる。その結果、作業を正確に効率よく行うことができる。
【００７１】
［第３の関連技術］
次に、本発明の第３の関連技術について説明する。尚、本関連技術は、ケーシングのシェルフへの取付方向後端側の構成が異なる以外は、上記第１の関連技術の構成と同様であるため、その異なる部分についてのみ説明する。図１９は、本関連技術にかかる空冷ファンユニットの特徴部分の概略構成を表す斜視図であり、同図（ａ）及び（ｂ）はそのケーシングを斜め上方からみた図であり、同図（ｃ）は斜め下方からみた図である。
【００７２】
同図（ａ）に示すように、係止部３７０は、ケーシング３０３に弾性的に揺動可能に設けられた板状体からなり、その板状体の一部に揺動方向の外力を加えるための鍔部３７１と、シェルフの開口部の上梁及び下梁の対向面と当接する位置にそれぞれ設けられた係止爪３７２，３７３（嵌合手段）とを有する。
【００７３】
すなわち、係止部３７０は、ケーシング３０３の後側面から底面の所定位置にかけてスリット３７１ａを入れることによりケーシング３０３の本体から部分的に分離されて形成されている。この係止部３７０は、その上端部がケーシング３０３の上端縁と同一平面上を後方に延出して鍔部３７１を構成し、下端部がケーシング３０３の底面の一部を構成している。そして、スリット３７１ａが途切れた残余の部分である上部をヒンジとしてケーシング３０３に対して弾性変形し、揺動できるようになっている。上記第１の関連技術とは、このヒンジの位置が上部にある点で異なっている。係止爪３７２は鍔部３７１の上面に突設されており、係止爪２７３は下端部の下面に突設されている。また、係止部３７０の幅方向の両側には、ケーシング３０３の内方に延出する一対のリブ３７４と、ケーシング３０３の外方に延出する一対のリブ３７５とが設けられており、係止部３７０を補強している。
【００７４】
この構造も上ロックタイプ及び下ロックタイプの双方に対応可能であり、鍔部を下方向に押し下げることにより、そのロック状態を容易に解除することができる。
［第１の実施の形態］
次に、本発明の第１の実施の形態について説明する。尚、本実施の形態において上記第１の関連技術と同様の構成部分については同一の符号を付す等してその説明を省略する。図２０は、本実施の形態にかかる空冷ファンユニットの概略構成を表す斜視図である。
【００７５】
同図に示すように、本実施の形態にかかる空冷ファンユニット４０１は、通風用の２つのファン２と、ファン２を収容して支持する箱状のケーシング４０３と、各ファン２の通風経路の上方でその回転翼に対面するようにそれぞれ配置された２つの格子状のフィンガーガード４０４と、シェルフに取り付ける際の把手と係止部の両機能を兼用するフロントパネル４６０とから構成されている。ファン２とフィンガーガード４０４とは、ケーシング４０３の底面に立設された複数のスタッドピン４１０に挿通され、その各上端部にロックブッシュ４２０を組付けることにより、ケーシング４０３に対して固定されている。
【００７６】
フィンガーガード４０４は、同心円に配置された複数の円形のリング部４０４ａを９０度おきに放射状に配置した長尺Ｕ字状の架橋部４０４ｂにより接続して構成され、樹脂材を射出成形して一体的に形成されたものである。
【００７７】
スタッドピン４１０は、図２１にその分解斜視図（図２０のＨ部拡大図に相当）を示すように、円柱軸状の本体４１１を備える。そして、その本体４１１の下端部に設けられたギヤ状の接合部４１２が、ケーシング４０３に設けられた同形状の接合穴４０３ａに圧入され、その軸周りの回転が防止された状態で安定に固定されている。尚、スタッドピン４１０は、ケーシング４０３に対して一体的に形成することもできる。
【００７８】
また、本体４１１の上端部（先端部）にはスリット４１３が設けられ、回転ピン４１５がそのスリット４１３に挟まれるように回動可能に支持されている。回転ピン４１５は、本体４１１の径（幅）よりも小さな幅と本体４１１の径よりも大きな長さを有する。より詳しくは、本体４１１のスリット４１３の位置には、回転軸４１４の径よりも大きな孔４１１ａが直角方向に貫通して設けられている。一方、回転ピン４１５の軸方向中央部は潰れた形状をなし、その潰れた部分の幅がスリット４１３の幅にほぼ一致している。その中央部には、回転軸４１４の径と略同じ大きさの孔４１５ａが直角方向に貫通して設けられている。回転ピン４１５を本体４１１に組付ける際には、回転ピン４１５をスリット４１３に配置して孔４１５ａと孔４１１ａを合わせ、これらの孔に回転軸４１４を挿通する。このとき、回転軸４１４は、回転ピン４１５側の孔４１５ａに対して圧入されて固定される一方、本体４１１側の孔４１１ａに対しては隙間嵌め状態となり、回転ピン４１５がスタッドピン４１０に回動可能に支持される。また、スリット４１３の幅が回転ピン４１５の直径よりも狭くなっているため、回転ピン４１５が回転軸４１４を中心に回転しようとしても、回転ピン４１５の中央部以外の部分がスリット４１３に引っ掛かって阻止される。このため、回転ピン４１５は、所定位置まで回転するとそれ以上は容易に回転しないようになっているが、大きな外力を加えると、回転ピン４１５の中央部以外の部分がスリット４１３に入り込んでスリットを押し広げるような状態で回転させることができる。このように回転ピン４１５によりスタッドピン４１０のスリット４１３が押し広げられても、スタッドピン４１０側の孔４１１ａと回転軸４１４との間の隙間により、スリット４１３の変形をある程度吸収することができる。
【００７９】
ロックブッシュ４２０は、図２２（ａ）にその分解斜視図を示すように、上述した回転ピン４１５を支持可能な構造を有するロックブッシュ本体４２１と、ロックブッシュ本体４２１を挿入して包み込むように配置されるゴムブッシュ４２２と、ゴムブッシュ４２２の底面に装着されるワッシャ４２３とから構成される二種成形一体品である。
【００８０】
ロックブッシュ本体４２１は、円柱状をなし、その自軸方向に回転ピン４１５を水平状態で挿通させることが可能な貫通孔４２１ａと、この貫通孔４２１ａを直交するように横断し、回転ピン４１５がその長手方向に沿って係止できる深さを有する係止溝４２１ｂとを有する。
【００８１】
また、同図（ｂ）にロックブッシュ本体４２１をその底部からみた斜視図を示すように、ロックブッシュ本体４２１の貫通孔４２１ａは、全体として回転ピン４１５の長手方向に沿った角形状の断面を有し、その中央部がその角形状の幅よりもやや大きな径を有する円断面となっている。
【００８２】
ゴムブッシュ４２２は、同図（ｃ）にその断面図を示すように、段付円筒形状をなし、下半部に内方に突出したフランジ部４２２ａを有する。そして、その上段部にロックブッシュ本体４２１を嵌入し、下段部にワッシャ４２３を嵌入できるようになっている。
【００８３】
ワッシャ４２３は、円板状の本体中央に、ロックブッシュ本体４２１の貫通孔４２１ａと同様の断面を有する孔４２３ａを有する。
フロントパネル４６０は、図２０及び図２４（ａ）に示すように、樹脂材を射出成形したものであり、ケーシング４０３の前壁部を構成する長方形板状のシャーシ４６１とシャーシ４６１の両端部から後方に延出して把手部を構成する把手４６２と、シャーシ４６１の下端中央から前後に延出する係止部４６３とから構成されている。シャーシ４６１の両サイドには、前方に延出するガイド４６４がそれぞれ設けられており、そのガイド４６４の先端には、外側に向かって鋭角な斜面形状をした係止突起４６４ａが形成されている。フロントパネル４６０の係止突起４６４ａを除く両ガイド４６４間の外側幅寸法は、ケーシング４０３の両側面の内側幅寸法に一致している。
【００８４】
一方、これに対応するように、ケーシング４０３の側壁後端には、フロントパネル４６０のガイド４６４を嵌合させるための嵌合凹部４３１が設けられている。この嵌合凹部４３１は、ケーシング４０３の側壁後端にガイド４６４とほぼ同形状のスリットを設け、その外側に板片を貼り付けることにより、係止突起４６４ａを係止させる係止孔４３１ａを形成することにより構成されている。
【００８５】
把手４６２は、その上下左右に傾斜面を有し、その先端に指で握れる把手部を形成している。
係止部４６３は、フロントパネル４６０底面中央で一旦前方に延びるフランジ部４６６と、フランジ部４６６に形成した一対のスリット４６６ａによって当該フランジ部４６６と分離した鍔部４６７とを備えている。この鍔部４６７は、さらに後方に延びつつ上方にも湾曲し、フランジ部４６６と同一平面上にある底面には、シェルフの奥行き方向に対して鋭角な斜面形状をした係止爪４６７ａが下方に突設されている。
【００８６】
このため、図２４（ｂ）に示すように、空冷ファンユニット４０１をシェルフの開口部に載せるような実装形態（ＰＵＬＬ  ＦＡＮ）の場合、空冷ファンユニット４０１をシェルフに装着する際には、空冷ファンユニット４０１が所定の設置位置にきたところで下側の係止爪４６７ａがシェルフの下梁の係止孔に嵌合して係止されロックされる。
【００８７】
一方、空冷ファンユニット４０１をシェルフから取り外す際には、例えば同図に示すように、把手４６２に指を差し込んで、鍔部４６７を上側に押し上げることにより、係止爪４６７ａがシェルフの係止孔から脱離してロックが解除される。そして、把手４６２を手前側（シェルフへの挿入方向とは逆側）に引っ張ることにより、空冷ファンユニット４０１を取り外すことができる。
【００８８】
尚、図２５（ａ）に示すように、フロントパネル４６０を上下ひっくり返してケーシング４０３に取り付けることにより、空冷ファンユニット４０１をシェルフの下側にぶら下げるような実装形態（ＰＵＳＨ  ＦＡＮ）についても対応することができる。
【００８９】
この場合は同図（ｂ）に示すように、空冷ファンユニット４０１が所定の設置位置にきたところで上側の係止爪４６７ａがシェルフの上梁の係止孔に嵌合して係止されロックされる。
【００９０】
一方、空冷ファンユニット４０１をシェルフから取り外す際には、例えば同図に示すように、把手４６２に指を差し込んで、鍔部４６７を下方に押し下げることにより、係止爪４６７ａがシェルフの係止孔から脱離してロックが解除される。そして、把手４６２を手前側（シェルフへの挿入方向とは逆側）に引っ張ることにより、空冷ファンユニット４０１を取り外すことができる。
【００９１】
次に、空冷ファンユニット４０１の組付方法について、図２０及び図２３に基づいて説明する。図２３（ａ）は、スタッドピン４１０とロックブッシュ４２０の係止部を表す斜視図であり、同図（ｂ）はそのＩ−Ｉ断面図であり、同図（ｃ）はそのＪ−Ｊ断面図及びＫ−Ｋ断面図である。
【００９２】
図２０を参照して、空冷ファンユニット４０１の各部品を組付ける際には、まず、各スタッドピン４１０を各ファン２の固定用の孔２４に挿入し、ファン２をケーシング４０３上に搭載する。そして、各フィンガーガード４０４の架橋部４０４ｂの先端部を、ファン２の各フランジ部２３の先端部に設けられた孔２４に合せて搭載し、各ロックブッシュ４２０を各スタッドピン４１０に対してロックする。
【００９３】
すなわち、図２３（ａ）に示すように、スタッドピン４１０の先端の回転ピン４１５をほぼ垂直に立てた状態で、ロックブッシュ４２０を、その貫通孔４２１ａの中央をスタッドピン４１０の軸線に一致させるようにして挿入した後、同図（ｂ）に示すように、回転ピン４１５を回動させて水平にする。このとき、同図（ｃ）の左図（Ｊ−Ｊ断面）に示すように、回転ピン４１５は貫通孔４２１ａ内に収容された状態になっている。
【００９４】
そして、同図（ｃ）の中央図（Ｊ−Ｊ断面）に示すように、ロックブッシュ４２０を下方に押し込みながらスタッドピン４１０の回転ピン４１５をロックブッシュ４２０の上面まで飛び出させて、ロックブッシュ４２０を９０度回転させ、回転ピン４１５を係止溝４２１ｂに合うように位置させて手を放す。このとき、同図（ｃ）の右図（Ｋ−Ｋ断面）に示すように、回転ピン４１５はゴムブッシュ４２２の弾性力で係止溝４２１ｂへ押し込まれて係止され、その結果、ロックブッシュ４２０がスタッドピン４１０に対してロックされる。このようにして、ファン２及びフィンガーガード４０４が、ケーシング４０３とロックブッシュ４２０との間に弾性的に挟持される。
【００９５】
次に、ケーシング４０３の前面にフロントパネル４６０を嵌め込む。
図２０及び図２４を参照して、まず、フロントパネル４６０の両サイドのガイド４６４をシャーシ４６１の嵌合凹部４３１に沿って挿入する。このとき、係止突起４６４ａの存在により、ガイド４６４は内側に湾曲した状態で嵌合凹部４３１の内側に沿って挿入されるが、係止突起４６４ａがケーシング４０３の係止孔４３１ａの位置にくると、弾性復帰してその係止突起４６４ａが係止孔４３１ａに嵌合して係止されことにより、フロントパネル４６０がケーシング４０３に対して固定される。
【００９６】
尚、空冷ファンユニット４０１を分解する際には、上記と逆の手法で各部品を取り外す。特に、ロックブッシュ４２０をスタッドピン４１０から取り外す際には、ロックブッシュ４２０を押し込んでスタッドピン４１０の回転ピン４１５をロックブッシュ本体４２１の上面まで飛び出させて貫通孔４２１ａの位置まで回転させる。回転ピン４１５がこの貫通孔４２１ａの位置まできたときに手を離せば、ゴムブッシュ４２２の弾性力により、ロックブッシュ４２０がスタッドピン４１０から外れる。
【００９７】
図２６は、本実施の形態の変形例にかかるロックブッシュの構成を表す斜視図である。同図（ａ）は本変形例のロックブッシュの分解斜視図であり、同図（ｂ）はそのＬ−Ｌ矢視断面図であり、同図（ｃ）は当該ロックブッシュを構成するロックブッシュ本体をその底部からみた斜視図である。
【００９８】
尚、本変形例は、ロックブッシュを構成するロックブッシュ本体の構造が異なる以外は上述した実施の形態と同様であるため、同様の構成部分については同一の符号を付す等してその説明を省略する。
【００９９】
本変形例のロックブッシュ４２０’を構成するロックブッシュ本体４２１’は、同図（ｂ）に同図（ａ）のＬ−Ｌ断面切断図を示すように、円柱状をなし、その自軸方向に回転ピン４１５を水平状態で挿通させることが可能な貫通孔４２１ａと、この貫通孔４２１ａを直交するように横断し、回転ピン４１５がその長手方向に沿って係止できる深さを有する係止溝４２１ｂとを有する。また、係止溝４２１ｂの片側先端縁から貫通孔４２１ａにかけて螺旋状に傾斜する斜面４２１ｃが形成され、回転ピン４１５をこの斜面４２１ｃに沿って係止溝４２１ｂ又は貫通孔４２１ａにガイドできるようになっている。この斜面４２１ｃは、ロックブッシュ本体４２１の中心を基準として点対称な位置に形成されている。
【０１００】
この場合、空冷ファンユニット４０１をシェルフに装着する際には、ロックブッシュ４２０を下方に軽く押し込みながら９０度回転させる。すると、回転ピン４１５はゴムブッシュ４２２の斜面４２１ｃを伝って上昇し、係止溝４２１ｂに嵌まり込む。このとき、回転ピン４１５がゴムブッシュ４２２の弾性力で係止溝４２１ｂに係止され、その結果、ロックブッシュ４２０がスタッドピン４１０に対してロックされる。このようにして、ファン２及びフィンガーガード４０４が、ケーシング４０３とロックブッシュ４２０との間に弾性的に挟持される。
【０１０１】
一方、空冷ファンユニット４０１を分解する際には、上記と逆の手法で各部品を取り外す。特に、ロックブッシュ４２０をスタッドピン４１０から取り外す際には、ロックブッシュ４２０を軽く押し込みながら少し回転させることで、回転ピン４１５がロックブッシュ本体４２１の斜面４２１ｃを伝って自然に下降し、貫通孔４２１ａから抜ける。
【０１０２】
以上に説明したように、本実施の形態の空冷ファンユニット４０１によれば、スタッドピン４１０に対してロックブッシュ４２０を回転させつつ押し込んで回転ピンを係止させることにより、ケーシング４０３，ファン２，フィンガーガード４０４を固定することができる。また、その逆の動作によりこれらを分離することもできる。このため、ネジによる組付けの場合のような工具が不要であり、その取付・取外作業を簡易かつ迅速に行うことができる。また、ロックブッシュ４２０の弾性による反力によりこれらケーシング４０３，ファン２，フィンガーガード４０４を安定して固定することができる。
【０１０３】
また、係止溝４２１ｂと貫通孔４２１ａとの間に螺旋状に傾斜する斜面４２１ｃを形成することで、回転ピン４１５の係止溝４２１ｂへの脱着がよりスムーズかつ小さな力で容易に行うことができる。
【０１０４】
［第２の実施の形態］
次に、本発明の第２の実施の形態について説明する。尚、本実施の形態において上記各実施の形態と同様の構成部分については同一の符号を付す等してその説明を省略する。図２７は、本実施の形態にかかる空冷ファンユニットの概略構成を表す分解斜視図である。
【０１０５】
同図に示すように、本実施の形態にかかる空冷ファンユニット５０１は、通風用の２つのファン２と、ファン２を横方向から収容して支持する左右一対のケーシング５０３と、各ファン２の通風経路の前後（上下）にその回転翼に対面するようにそれぞれ配置された４つの格子状のフィンガーガード４０４と、シェルフに取り付ける際の把手と係止部の両機能を兼用するフロントパネル４６０と、シェルフへの挿通方向先端側でコネクタ２５を保持するリアパネル５０５とから構成されている。ファン２とフィンガーガード４０４とは、複数の固定用ブッシュ５２０によって固定されている。
【０１０６】
ケーシング５０３は、長尺板状の部材をその幅方向に立設させて構成され、その側面には、ファン２の側面を取り囲んで収容・支持するための複数のリブ５０４が突設され、ファン収容部５０４ｂを形成している。この複数のリブ５０４のうち上下のリブ５０４には、ファン２の固定用の孔２４に対応した固定用の孔５０４ａが形成されている。また、ケーシング５０３の前後には、フロントパネル４６０とリアパネル５０５を嵌合装着させるための嵌合凹部５５１，５５２が設けられている。これら嵌合凹部５５１，５５２の構成は、第１の実施の形態の嵌合凹部４３１の構成と同様であるため、その説明を省略する。
【０１０７】
リアパネル５０５は、樹脂材を射出成形したものであり、ケーシング５０３の前方で壁部を構成する長方形板状のシャーシ５６１と、シャーシ５６１の両サイドで後方に延出するガイド５６２とから構成されている。シャーシ５６１の上部中央には、コネクタ２５を固定するためのコネクタ収容部３３が設けられている。尚、ガイド５６２の構成及びそのケーシング５０３との取付構造は、第１の実施の形態のガイド４６４の構成及びそのケーシング４０３との取付構造と同様であるため、その説明を省略する。
【０１０８】
固定用ブッシュ５２０は、ゴムからなり、図２８にそのファン２及びフィンガーガード４０４への取付断面図を示すように、円柱状の本体に３つの環状リブ５２１，５２２，５２３が所定間隔で周設されて構成されている。その先端のリブ５２１は後方（図中上方）にやや拡径するテーパ状に形成され、後端のリブ５２３はフィンガーガード４０４のスリットの幅よりもやや大きな外径を有する。そして、中央のリブ５２２は、後端のリブ５２３よりも大きくフランジ状をなしている。そして、これらのリブ間に嵌合溝を形成している。
【０１０９】
次に、空冷ファンユニット５０１の組付方法について説明する。
図２７に示すように、まず、ケーシング５０３と各ファン２とを、ファン収容部５０４ｂにファン２の側面を収容するようにして組付ける。このとき、ファン２の固定用の孔２４とケーシング５０３の固定用の孔５０４ａとを一致させる。
【０１１０】
そして、この状態から各フィンガーガード４０４を取り付ける。すなわち、図２８に示すように、まず、固定用ブッシュ５２０をそのリブ５２３側でフィンガーガード４０４の先端部に取り付けておく。このとき、固定用ブッシュ５２０は、中央のリブ５２２と後端のリブ５２３との間に架橋部４０４ｂの先端部を挟み込む態様でフィンガーガード４０４に取り付けられる。
【０１１１】
そして、この状態から、フィンガーガード４０４が取り付けられた各固定用ブッシュ５２０を、その先端からケーシング５０３の孔５０４ａに差し込む。このとき、先端のリブ５２１が少し弾性変形しながら孔５０４ａを貫通すると、その後端部が逆止構造となって逆方向に抜けることを禁止する。これにより、固定用ブッシュ５２０は、その先端のリブ５２１と中央のリブ５２２とによってリブ５０４を挟持する態様でケーシング５０３に固定される。また、先端のリブ５２１の先端部がファン２の孔２４に挿通されるため、この固定用ブッシュ５２０を介してファン２とケーシング５０３とが間接的に固定される。以上のようにして、ファン２，ケーシング５０３及びフィンガーガード４０４の固定が完了する。
【０１１２】
そして、この状態からフロントパネル４６０とリアパネル５０５を嵌合装着させることにより、組付けが完了する。
以上に説明したように、本実施の形態の空冷ファンユニット５０１によれば、固定用ブッシュ５２０を用いてファン２，ケーシング５０３及びフィンガーガード４０４の脱着を簡易に行うことができ、ネジ等による接合の場合よりも迅速に行うことができる。
【０１１３】
［第４の関連技術］
次に、本発明の第４の関連技術について説明する。尚、本関連技術において上記各実施の形態または関連技術と同様の構成部分については同一の符号を付す等してその説明を省略する。図２９は、本関連技術にかかる空冷ファンユニットの概略構成を表す斜視図であり、図３０はその分解斜視図である。
【０１１４】
図２９及び図３０に示すように、本関連技術にかかる空冷ファンユニット６０１は、通風用の１つのファン２に対して１つのケーシング６０３がこれを収容するコンパクトな構成を有する。そして、必要に応じて複数の空冷ファンユニット６０１を連結して大規模な空冷ファンユニットを構成することもできる。
【０１１５】
本関連技術の空冷ファンユニット６０１は、１つのファン２と、ファン２を内部に収容するとともに上方から支持するケーシング６０３と、このケーシング６０３の下部開口部を閉塞するカバー６０４とから構成されている。
【０１１６】
すなわち、図３１（ａ）に図３０のＭ−Ｍ矢視断面図を示すように、ケーシング６０３は、円筒状の本体の上端を覆うように上カバー部６１１が設けられており、この上カバー部６１１に対してファン２が組付けられている。上カバー部６１１には、ファン２の回転翼に対面するように格子状の通風孔６１２が形成されている。この通風孔６１２は、通風用の孔として機能するとともに、フィンガーガードとしても機能する。
【０１１７】
また、ケーシング６０３の下端縁からは外方に向かって上カバー部６１１の形状に対応したフランジ部６１３が延設されており、このフランジ部６１３に複数の係止孔６１３ａが設けられている。
【０１１８】
一方、カバー６０４は、図３０にも示されるように、略正方形状の板材からなり、ファン２の回転翼に対面する位置には格子状の通風孔６２１が形成されている。この通風孔６２１は、通風用の孔として機能するとともに、フィンガーガードとしても機能する。また、カバー６０４の４つの角隅部の上記係止孔６１３ａに対応する位置には、爪状の係止突起６０４ａが突設されており、この係止突起６０４ａを係止孔６１３ａに嵌合させることにより、カバー６０４がケーシング６０３に対して固定され、ケーシング６０３の下部開口部を閉塞する。
【０１１９】
また、図３１（ｂ）に示すように、ケーシング６０３の内部及び外部にはファン２のモータにつながる電源ケーブル６５０が配線されており、その先端に設けられたコネクタ２５がケーシング６０３の前後にネジＳにより螺合固定されている。
【０１２０】
また、図２９及び図３０に示すように、ケーシング６０３の側壁の後端側には一対のガイド６１６が設けられ、先端側には一対の嵌合凹部６１７が設けられている。これらガイド６１６と嵌合凹部６１７の構成は、それぞれ図２４で示したガイド４６４，嵌合凹部４３１の構成と同様であるため、その説明については省略するが、これらが嵌合して固定されることにより、複数の空冷ファンユニット６０１が連続的に固定できるようになっている。尚、本関連技術において、ガイド６１６及び嵌合凹部６１７が嵌合手段を構成する。
【０１２１】
さらに、空冷ファンユニット６０１には、フロントパネル６６０が取付可能に構成されている。このフロントパネル６６０は、図２４に示したフロントパネル４６０に対し、ガイド６１６を接続可能な嵌合凹部６６１が設けられた側壁が連設された構成を有する。この両側壁の先端にはプレート６６２が接続され、フロントパネル６６０の強度を高めている。このプレート６６２の中央には、コネクタ２５を挿通可能な窓６６２ａが設けられている。
【０１２２】
以上に説明したように、本関連技術の空冷ファンユニット６０１によれば、空冷ファンユニット６０１をコンパクトに形成することができるとともに、必要に応じて複数接続することにより、大規模な空冷ファンユニットとして構成することもできる。このため、空冷ファンユニットとしての汎用性が高い。
【０１２３】
［第５の関連技術］
次に、本発明の第５の関連技術について説明する。尚、本関連技術において上記各実施の形態または関連技術と同様の構成部分については同一の符号を付す等してその説明を省略する。図３２は、本関連技術にかかる空冷ファンユニットの概略構成を表す分解斜視図である。
【０１２４】
同図に示すように、本関連技術にかかる空冷ファンユニット７０１は、通風用の２つのファン２と、ファン２を収容して支持するケーシング７０３と、ケーシング７０３の開口部を閉塞するカバー７０４とから構成されている。
【０１２５】
ケーシング７０３は、第１の関連技術で示したケーシング３とほぼ同様の形状を有するが、その両側面の後端側上部には断面長円状の凸部７１１が縦方向に延びて設けられ、両側面の先端側上部には三角錐形状の凸部７１２と、中心部に円形の凹溝７１３ａを有する円柱状の凸部７１３が設けられている。また、両側面の下部には、シェルフ側のガイドレールにガイドされるガイド部７１６が、その先端部から後端部に亘って延設されている。
【０１２６】
また、ケーシング７０３の後部上端縁の中央には、シェルフ側の梁に係止される係止部７１４が設けられ、その両側には、カバー７０４を押える爪部７１８が形成されており、爪が変形し易いように周辺にスリットが形成されている。
【０１２７】
さらに、ケーシング７０３の底面には、各ファン２の回転翼に対面するように格子状の通風孔７１５が形成されている。この通風孔７１５は、通風用の孔として機能するとともに、フィンガーガードとしても機能する。また、この底面の通風孔７１５の周りにおいて、ファン２の固定用の孔２４に対応する複数箇所には座ぐり７５５が設けられ、その座ぐり７５５にファン２を固定するための固定用ブッシュ７５０を挿通する孔７５５ａが形成されている。固定用ブッシュ７５０の頭部分は、この座ぐり７５５に収容される。
【０１２８】
一方、カバー７０４は、第１の関連技術で示したカバー４と同様に、板状の本体において各ファン２の回転翼に対面する位置に格子状の通風孔７４１が形成されている。この通風孔７４１は、通風用の孔として機能するとともに、フィンガーガードとしても機能する。また、このカバー７０４の通風孔７４１の周りにおいて、ファン２の固定用の孔２４に対応する複数箇所には座ぐり７５４が設けられ、その座ぐり７５４にファン２を固定するための固定用ブッシュ７５０を挿通する孔７５４ａが形成されている。固定用ブッシュ７５０の頭部分は、この座ぐり７５４に収容される。
【０１２９】
また、カバー７０４の本体のシェルフへの取付方向に沿った両縁部が下方に所定量折り曲げられて側壁７４２を形成し、その側壁７４２の後端部近傍には、上記凸部７１１に嵌合する長円状の切欠穴７４３が設けられている。また、側壁７４２の先端部近傍には、ケーシング７０３の円柱形状の凸部７１３を係止可能な縦方向に延びる長円状のガイド穴７４４が形成されている。
【０１３０】
さらに、カバー７０４の先端側には、当該カバー４と分割して構成された押えカバー７４７が設けられ、その押えカバー７４７の両側面の内側には、ケーシング７０３の凸部７１３に形成された円形の凹溝７１３ａに嵌合する凸部７４７ａと、三角錐形状の凸部７１２に嵌合する嵌合孔７４７ｂが設けられている。
【０１３１】
次に、空冷ファンユニット７０１の組付方法について説明する。
まず、ファン２の孔２４と座ぐり７５５の孔７５５ａとを一致させるように、各ファン２をケーシング７０３内に配置する。そして、ケーシング７０３の底面側から複数の固定用ブッシュ７５０を挿入し、各ファン２をケーシング７０３内に固定する。
【０１３２】
続いて、ケーシング７０３の凸部７１１，凸部７１３に、カバー７０４の切欠穴７４３，ガイド穴７４４をそれぞれ嵌め込んで、カバー７０４をケーシング７０３に固定する。このとき、カバー７０４は、ケーシング７０３の長円状の凸部７１１によって凸部７１３回りの回動が阻止されている。
【０１３３】
そして、カバー７０４の孔７５４ａに固定用ブッシュ７５０を挿通し、その先端をファン２の孔２４に係止させることにより、カバー７０４とファン２とを固定する。
そしてさらに、押えカバー７４７の内側の凸部７４７ａをケーシング７０３の凹溝７１３ａに合わせ、ケーシング７０３にカバー７０４を覆い被せるようにして嵌め込んで固定する。
【０１３４】
一方、カバー７０４をケーシング７０３に対して開放する際には、カバー７０４を持ち上げて凸部７１１から脱離させた後、カバー７０４を回動させる。
すなわち、カバー７０４を閉じた状態からそのまま回動させようとしても、カバー７０４の回動軸近傍の固定用ブッシュ７５０がファン２の固定用の孔２４に嵌合しているため、その回動が困難である。これを強制的に回動させると、固定用ブッシュ７５０を変形させたり破損させる虞がある。そこで、本関連技術では、一旦カバー７０４を水平にして持ち上げるように構成している。ただし、カバー７０４を持ち上げる前にこれが回動することを防止するために、長円状の凸部７１１を設けている。カバー７０４には、この凸部７１１に対応した長円状の切欠穴７４３があり、これら凸部７１１と切欠穴７４３とが互いに嵌合しているため、カバー７０４を持ち上げるまでは当該カバー７０４が回転しないような構造になっているのである。
【０１３５】
また、押えカバー７４７は、カバー７０４の回転軸が簡単に上方へ移動するのを防ぐためのものである。すなわち、ケーシング７０３の先端部には、三角錐の先端角の一辺に面取りがされた形状の凸部７１２があり、押えカバー７４７には、この凸部７１２に対応した嵌合孔７４７ｂが形成されている。カバー７０４に対して分割された押えカバー７４７は、図３３に示すように、その回動時には、所定の大きさの回動方向の外力を付与することにより、三角錐の凸部７１２の先端角一辺の面取り部傾斜７１２ａに沿って徐々にその側面が外側に膨れ、ロックが解除される。
【０１３６】
押さえカバー７４７を閉じる際には、所定の大きさの上記とは逆の回動方向の外力を付与することにより、凸部７１２の他の傾斜面７１２ｂに沿ってその側面が徐々に外側に膨れ、最終的に嵌合孔７４７ｂが凸部７１２に嵌まり込んでロックされる。
【０１３７】
次に、空冷ファンユニット７０１において、カバー７０４を開放させる手順について、図３４及び図３５に基づいて説明する。
まず、図３４（ａ）のようにカバー７０４及び押えカバー７４７が閉じた状態から、同図（ｂ）に示すように、押えカバー７４７を回動させて開く。この状態を図３５（ａ）に示す。
【０１３８】
続いて、図３４（ｃ）のように、カバー７０４を水平に保持した状態でこれを上方に持ち上げる。この状態を図３５（ｂ）に示す。
そして、図３４（ｄ）のように、カバー７０４を回動させて開く。この状態を図３５（ｃ）に示す。この状態でファン２の交換等が可能になる。
【０１３９】
以上に説明したように、本関連技術の空冷ファンユニット７０１によれば、固定用ブッシュ７５０を用いてファン２，カバー７０４，ケーシング７０３の固定を簡易に行うことができ、ネジ等による接合の場合よりも迅速に行うことができる。また、カバー７０４をケーシング７０３に対して持ち上げて揺動させることで、カバー７０４を容易に開放させることができる。このため、メンテナンスの際にも都合が良い。
【０１４０】
尚、本関連技術では、凸部７１２を三角錐形状に構成したが、図３６（ａ）の部分斜視図に示すように、これを三角柱形状の凸部７１２’として構成してもよい。また、凸部７１２と嵌合孔７４７ｂをケーシング７０３に対して平行に形成したが、同図（ｂ）の部分側面図に示すように、これらに対応する凸部７１２’と嵌合孔７４７ｂ’をケーシング７０３に対して角度を持たせて形成してもよい。
【産業上の利用可能性】
【０１４１】
電子機器を収容するシェルフに取り付けられ、シェルフ内を強制通風して電子機器を冷却する装置に適用することができる。
（付記１）  電子機器を収容するシェルフに取り付けられ、前記シェルフ内を強制通風して前記電子機器を冷却する空冷ファンユニットにおいて、
内部の回転翼を駆動して通風作用を起こさせるファンと、
前記ファンを支持するケーシングと、
前記ファンの通風経路の前後で前記回転翼に対面するようにそれぞれ配置された格子状のフィンガーガードと、
前記ケーシングの前記シェルフへの取付方向後端側に弾性的に揺動可能に設けられた板状体からなり、その板状体の一部に揺動方向の外力を加えるための鍔部と、前記シェルフのファンユニット挿入口の対向面と当接する位置にそれぞれ設けられた複数の嵌合手段とを有し、少なくともいずれかの嵌合手段を介して前記シェルフに係止される係止部と、
を備え、
前記鍔部に加えられた外力によって前記係止部が揺動させられることにより、前記各嵌合手段がこれに連動して前記シェルフから脱離するように構成されたことを特徴とする空冷ファンユニット。
【０１４２】
（付記２）  前記ケーシングが箱状に形成され、
前記係止部は、前記ケーシングの後端側の側壁にスリットを設けることにより、前記ケーシングの本体から部分的に分離されるとともに、その残余の部分で形成されるヒンジ部を中心として弾性変形して揺動可能に構成されたことを特徴とする付記１記載の空冷ファンユニット。
【０１４３】
（付記３）  前記ケーシングの前記シェルフへの取付方向後端側に、前記鍔部を跨ぐように設けられた把手を備え、
前記把手には、前記嵌合手段の脱離方向とは反対側へ前記鍔部を付勢する指の挿入を禁止する誤操作防止構造が設けられたことを特徴とする付記１記載の空冷ファンユニット。
【０１４４】
（付記４）  前記誤操作防止構造は、前記把手の本体と前記ケーシングとの間に形成される開放部の片側端縁をカバー部材により閉塞して構成されたことを特徴とする付記３記載の空冷ファンユニット。
【０１４５】
（付記５）  前記ケーシングの前記シェルフへの取付方向後端側に脱着可能に設けられ、前記把手と前記係止部とを一体化したフロントパネルを備えたことを特徴とする付記３記載の空冷ファンユニット。
【０１４６】
（付記６）  電子機器を収容するシェルフに取り付けられ、前記シェルフ内を強制通風して前記電子機器を冷却する空冷ファンユニットにおいて、
内部の回転翼を駆動して通風作用を起こさせるファンと、
前記ファンを支持するケーシングと、
前記ファンの通風経路の前後で前記回転翼に対面するようにそれぞれ配置された格子状のフィンガーガードと、
前記ケーシングの内部に立設された軸状の本体を備え、前記本体の先端部に設けたスリット部分に、前記本体の幅よりも小さな幅と前記本体の幅よりも大きな長さを有する回転ピンを、その回転ピンの長手方向と直角な軸回りに回動可能に支持する複数のスタッドピンと、
前記回転ピンを含む前記スタッドピンの先端部を挿通させるための貫通孔と、前記貫通孔を横断するように形成され、前記貫通孔に挿通されて回動した前記回転ピンをその長手方向に沿って係止する係止溝とを有し、前記スタッドピンの軸方向に押圧されて弾性変形しつつその軸周りに回転し、前記係止溝に前記回転ピンを係止することで、前記ケーシングとの間に前記ファンと前記フィンガーガードとを弾性的に挟持するロックブッシュと、
を備えたことを特徴とする空冷ファンユニット。
【０１４７】
（付記７）  前記ロックブッシュの貫通孔が前記回転ピンの長さよりも大きな幅を有する一方、前記係止溝の先端縁から前記貫通孔にかけて螺旋状に傾斜する斜面を有し、
前記ロックブッシュを前記スタッドピンから取り外す際には、前記ロックブッシュを前記スタッドピンの軸方向に押圧しつつ回転させて前記回転ピンを前記斜面に載せることにより、前記回転ピンが前記斜面に沿って摺動して前記貫通孔に逃げるように構成されたことを特徴とする付記６記載の空冷ファンユニット。
【０１４８】
（付記８）  当該空冷ファンユニットを前記シェルフに挿入する際に把持する把手と、前記シェルフのファンユニット挿入口に係止されることにより、当該空冷ファンユニットを前記シェルフに固定させる係止部とを一体化して構成されるとともに、前記ケーシングの前記シェルフへの取付方向後端側に脱着可能に設けられたフロントパネルを備えたことを特徴とする付記６記載の空冷ファンユニット。
【０１４９】
（付記９）  電子機器を収容するシェルフに取り付けられ、前記シェルフ内を強制通風して前記電子機器を冷却する空冷ファンユニットにおいて、
内部の回転翼を駆動して通風作用を起こさせるファンと、
前記ファンを側方から挟み込むように収容して支持する一対のケーシングと、
前記ファンの通風経路の前後で前記回転翼に対面するようにそれぞれ配置された格子状のフィンガーガードと、
軸状の本体の側面に、前記フィンガーガードの一部と前記ケーシングに設けた貫通孔とにそれぞれに嵌合する複数の嵌合溝が周設された複数のブッシュと、
を備え、
前記フィンガーガードの一部と前記ケーシングの貫通孔とを一致させた状態で前記各ブッシュを嵌合させることにより、前記ケーシングと前記フィンガーガードとを固定するように構成されたことを特徴とする空冷ファンユニット。
【０１５０】
（付記１０）  前記ファンの周縁部には複数の固定用の孔が形成され、前記ブッシュの先端を前記固定用孔に係止させることにより、前記ファンを前記ケーシングに対して固定したことを特徴とする付記９記載の空冷ファンユニット。
【０１５１】
（付記１１）  当該空冷ファンユニットを前記シェルフに挿入する際に把持する把手と、前記シェルフのファンユニット挿入口に係止されることにより、当該空冷ファンユニットを前記シェルフに固定させる係止部とを一体化して構成されるとともに、前記ケーシングの前記シェルフへの取付方向後端側に脱着可能に設けられたフロントパネルを備えたことを特徴とする付記９記載の空冷ファンユニット。
【０１５２】
（付記１２）  電子機器を収容するシェルフに取り付けられ、前記シェルフ内を強制通風して前記電子機器を冷却する空冷ファンユニットにおいて、
内部の回転翼を駆動して通風作用を起こさせる一つのファンと、
前記ファンを支持するとともに、前記ファンの通風経路の前後で前記回転翼に対面するようにそれぞれ配置された格子状の通風孔を有するケーシングと、
当該空冷ファンユニットを複数並列して接続固定できるように、前記各ケーシングに設けられた嵌合手段と、
を備えたことを特徴とする空冷ファンユニット。
【０１５３】
（付記１３）  当該空冷ファンユニットを前記シェルフに挿入する際に把持する把手と、前記シェルフのファンユニット挿入口に係止されることにより、当該空冷ファンユニットを前記シェルフに固定させる係止部とを一体化して構成されるとともに、前記ケーシングの前記シェルフへの取付方向後端側に脱着可能に設けられたフロントパネルを備えたことを特徴とする付記１２記載の空冷ファンユニット。
【０１５４】
（付記１４）  電子機器を収容するシェルフに取り付けられ、前記シェルフ内を強制通風して前記電子機器を冷却する空冷ファンユニットにおいて、
内部の回転翼を駆動して通風作用を起こさせるファンと、
箱状の本体の一端面に前記ファンを挿入するための開口部を有し、前記ファンを収容して支持するとともに、前記ファンを載置する位置に前記回転翼に対面するように配置された格子状の通風孔を有するケーシングと、
前記ケーシングの開口部を覆うように配置されるとともに、前記ファンの回転翼に対面するように配置された格子状の通風孔を有し、前記ケーシングの一端側に設けられた揺動軸の周りに揺動することにより前記開口部を開放させるカバーと、
前記カバーと前記ケーシングとの間に設けられた嵌合部からなり、前記カバーを前記ケーシングに対して所定量持ち上げるまでその揺動を禁止する揺動制限手段と、
を備えたことを特徴とする空冷ファンユニット。
【０１５５】
（付記１５）  前記カバーに設けられた複数の取付孔を貫通するように嵌合装着された複数の固定用ブッシュを備える一方、前記ファンの周縁部には複数の固定用の孔が形成され、前記固定用ブッシュの先端を前記固定用の孔に係止させることにより、前記ファンを前記カバーに対して固定できるように構成され、
前記揺動制限手段は、前記カバーが持ち上げられて、前記固定用ブッシュの先端が前記ファンの固定用の孔から外れるまで、前記カバーの揺動を禁止することを特徴とする付記１４記載の空冷ファンユニット。
【０１５６】
（付記１６）  前記カバーの端部を覆うように設けられ、前記ケーシングに設けられた回動軸の周りに回動可能に構成され、その回動基点において前記ケーシングと嵌合して前記カバーの持ち上げを禁止する一方、その回動終点において前記カバーの持ち上げ禁止を解除する押えカバーを備えたことを特徴とする付記１４記載の空冷ファンユニット。
【０１５７】
（付記１７）  前記押えカバーに所定の大きさの回動方向の外力を付与することにより、前記押えカバーと前記ケーシングとの嵌合状態をその嵌合部の弾性変形により解除する嵌合解除構造を有することを特徴とする付記１６記載の空冷ファンユニット。
【０１５８】
（付記１８）  当該空冷ファンユニットを前記シェルフに挿入する際に把持する把手と、前記シェルフのファンユニット挿入口に係止されることにより、当該空冷ファンユニットを前記シェルフに固定させる係止部とを一体化して構成されるとともに、前記ケーシングの前記シェルフへの取付方向後端側に脱着可能に設けられたフロントパネルを備えたことを特徴とする付記１４記載の空冷ファンユニット。
【図面の簡単な説明】
【０１５９】
【図１】本発明の第１の関連技術にかかる空冷ファンユニットの概略構成を表す分解斜視図である。
【図２】第１の関連技術の空冷ファンユニットを構成するファンとゴムブッシュとの取付構造を表す分解斜視図である。
【図３】第１の関連技術の空冷ファンユニットを構成する把手の周辺構造を表す説明図である。
【図４】第１の関連技術の空冷ファンユニットを構成するケーシングとカバーの構造を表す説明図である。
【図５】第１の関連技術の空冷ファンユニットとシェルフとの取付構造を表す斜視図である。
【図６】第１の関連技術の空冷ファンユニットを除いた状態でシェルフを斜め上方からみた斜視図である。
【図７】図６のＣ方向矢視及び図３（ｂ）のＤ−Ｄ断面に相当する図である。
【図８】上ロックタイプのシェルフの正面図である。
【図９】空冷ファンユニットを除いた状態で上ロックタイプのシェルフを斜め下方からみた斜視図である。
【図１０】図９のＥ−Ｅ矢視断面図及びそのＦ方向矢視図である。
【図１１】第１の関連技術の空冷ファンユニットのシェルフへの取付方法を示す説明図である。
【図１２】第１の変形例にかかる空冷ファンユニットの構造を表す分解斜視図である。
【図１３】第１の変形例の特徴部分であるファン近傍の構造を表す斜視図である。
【図１４】第２の変形例にかかる空冷ファンユニットの構造を表す分解斜視図である。
【図１５】第２の変形例の特徴部分であるファン近傍の構造を表す斜視図である。
【図１６】第２の関連技術にかかる空冷ファンユニットの特徴部分の概略構成を表す斜視図である。
【図１７】第２の関連技術の特徴部分を有する把手の斜視図である。
【図１８】第２の関連技術の空冷ファンユニットの取付方法を示す説明図である。
【図１９】第３の関連技術にかかる空冷ファンユニットの特徴部分の概略構成を表す斜視図である。
【図２０】第１の実施の形態にかかる空冷ファンユニットの概略構成を表す分解斜視図である。
【図２１】第１の実施の形態の特徴部分であるスタッドピンの構成を表す分解斜視図である。
【図２２】第１の実施の形態の特徴部分であるロックブッシュの構成を表す説明図である。
【図２３】第１の実施の形態のスタッドピンとロックブッシュとの係止部を表す斜視図等である。
【図２４】第１の実施の形態の空冷ファンユニットを構成するフロントパネルの構造を表す説明図である。
【図２５】第１の実施の形態の空冷ファンユニットを構成するフロントパネルの構造を表す説明図である。
【図２６】第１の実施の形態の変形例にかかるロックブッシュの構成を表す斜視図ある。
【図２７】第２の実施の形態にかかる空冷ファンユニットの概略構成を表す分解斜視図である。
【図２８】第２の実施の形態の空冷ファンユニットの組付構成を表す説明図である。
【図２９】第４の関連技術にかかる空冷ファンユニットの概略構成を表す斜視図である。
【図３０】第４の関連技術の空冷ファンユニットの分解斜視図である。
【図３１】第４の関連技術の空冷ファンユニットの構成を表す説明図である。
【図３２】第５の関連技術にかかる空冷ファンユニットの概略構成を表す分解斜視図である。
【図３３】第５の関連技術の空冷ファンユニットを構成するケーシングの構造を表す説明図である。
【図３４】第５の関連技術の空冷ファンユニットにおいて、ケーシングからカバーを取り外す手順を表す説明図である。
【図３５】第５の関連技術の空冷ファンユニットにおいて、ケーシングからカバーを取り外す手順を表す説明図である。
【図３６】第５の関連技術の変形例にかかるケーシングの構造を表す説明図である。
【図３７】従来の空冷ファンユニットの構造の一例を表す分解斜視図である。
【符号の説明】
【０１６０】
１,２０１，４０１，５０１，６０１，７０１  空冷ファンユニット
２  ファン
３，２０３，３０３，４０３，５０３，６０３，７０３  ケーシング
４，２０４，６０４，７０４  カバー
２１  ファンケーシング
３１，４１  通風孔
５０，１５０，２５０  ゴムブッシュ
６０，２６０  把手
７０，２７０，３７０  係止部
７１，２７２，３７１  鍔部
７１ａ  スリット
７２，７３，３７２，３７３  係止爪
８０，１８０  シェルフ
８１，１８１  ファンユニット挿入口
８２，１８２，２８２  上梁
８３，２８３  下梁
８５，１８５，２８５  係止孔
９０  ガイドレール
２６２  カバー部材
４０４  フィンガーガード
４１０  スタッドピン
４１３  スリット
４１５  回転ピン
４２０  ロックブッシュ
４２１  ロックブッシュ本体
４２１ａ  貫通孔
４２１ｂ  係止溝
４２１ｃ  斜面
４３１  嵌合凹部
４６０  フロントパネル
４６２  把手
４６３  係止部
４６７  鍔部
５０４ｂ  ファン収容部
５２０  固定用ブッシュ
５５１  嵌合凹部
６１２，６２１  通風孔
６１６  ガイド
６１７  嵌合凹部
６６０  フロントパネル
７１４  係止部
７１５，７４１  通風孔
７４７  押えカバー
７５０  固定用ブッシュ
【図１】
0004615044.tif 000002
【図２】
0004615044.tif 000003
【図３】
0004615044.tif 000004
【図４】
0004615044.tif 000005
【図５】
0004615044.tif 000006
【図６】
0004615044.tif 000007
【図７】
0004615044.tif 000008
【図８】
0004615044.tif 000009
【図９】
0004615044.tif 000010
【図１０】
0004615044.tif 000011
【図１１】
0004615044.tif 000012
【図１２】
0004615044.tif 000013
【図１３】
0004615044.tif 000014
【図１４】
0004615044.tif 000015
【図１５】
0004615044.tif 000016
【図１６】
0004615044.tif 000017
【図１７】
0004615044.tif 000018
【図１８】
0004615044.tif 000019
【図１９】
0004615044.tif 000020
【図２０】
0004615044.tif 000021
【図２１】
0004615044.tif 000022
【図２２】
0004615044.tif 000023
【図２３】
0004615044.tif 000024
【図２４】
0004615044.tif 000025
【図２５】
0004615044.tif 000026
【図２６】
0004615044.tif 000027
【図２７】
0004615044.tif 000028
【図２８】
0004615044.tif 000029
【図２９】
0004615044.tif 000030
【図３０】
0004615044.tif 000031
【図３１】
0004615044.tif 000032
【図３２】
0004615044.tif 000033
【図３３】
0004615044.tif 000034
【図３４】
0004615044.tif 000035
【図３５】
0004615044.tif 000036
【図３６】
0004615044.tif 000037
【図３７】
0004615044.tif 000038